(57)【特許請求の範囲】
【請求項１】
瓦受け下端部の切欠き部に係合片を横向きに突設すると共に、瓦頭中央部に係合片に係合可能な鉤状の係合部を上向きに突設し、また瓦尻隅に上記係合部が嵌合する切欠を形成し、上下の瓦が互い違いになるようにして瓦を葺いたとき、係合部が上側に葺かれる瓦の上記係合片に係合して該係合片を押えると共に、瓦受け上に重ねて置かれる瓦の上記切欠に嵌合し、瓦受け上に置かれる瓦が係合部上に被さって係合部が外部に突出しないようにすると共に、葺いた瓦を下側から見たときには係合部の破損を見ることができるようにしたことを特徴とする平板瓦。
【発明の詳細な説明】
【０００１】
【発明が属する技術分野】
本発明は、コンクリート造りの建物など、洋風の建物に使われ、風で煽られても飛ばないようにした平板瓦に関する。
【０００２】
【従来技術】
図１は、従来のこの種平板瓦３の一態様を示すもので、瓦を葺くときには通常の瓦と同様、図２に示すように桟木１に引掛けて釘孔２に釘を打ち込んで固定し、横一列に瓦側縁を重ねて並べたのち、次の瓦３を瓦尻が下側の瓦の瓦頭上に被さるようにして下側の瓦と互い違いとなるように葺いていた（図３参照）。
【０００３】
瓦を図３に示すように、上下の瓦が互い違いとなるようにして葺いたとき、瓦間に流入した雨水が軒側の下側の瓦の瓦中央部に流れ落ちるため、雨水が瓦下に侵入することによる雨洩れを生じにくいが、次のような問題がある。
すなわち、瓦３ａの右側縁上には右側の瓦３ｂの左側縁が重ねられて押えられ、かつ瓦頭が上側の棟側の瓦の瓦尻で押えられるが、左側縁は左隣の瓦の右側縁の瓦受け４上に置かれているだけであるから、台風等で下側から強風が吹き込み、瓦が左側から煽られると吹き飛ぶおそれがあることである。
【０００４】
強風が吹き込んでも飛ばないようにした平板瓦もいくつか提案されている。特開２００１−４０８２１号、特開２００１−１０７５１１号、特開２００１−１２３５８４号等に示されるものがそうで、例えば特開２００１−４０８２１号には、左側縁部の瓦受けの瓦頭近くに凹部を、瓦頭中央部に凹部に係合して該凹部を押える鉤状の係合凸部を設けた平板瓦が提案され、このほか瓦頭中央部に鉤状の係合部を突設して上側に葺かれる瓦の瓦尻表面に形成される凹部に係合して該凹部を押えるようにした平板瓦も知られる。
【０００５】
【発明が解決しようとする課題】
特開２００１−４０８２１号には、次のような問題がある。
（１）瓦受けには、左隣の瓦の右側縁部が重ねて置かれるように低い段となっているため、肉厚が薄くなっているが、この瓦受けに凹部を形成すると、該凹部の肉厚は更に薄くなり、該凹部の強度が低下するばかりでなく、凹部全体の強度も低下しがちで、凹部の長さを長くして瓦葺きするときの瓦の割付寸法に余裕を持たせようとすると、強度が低下すること、
（２）凹部の周りには水返しに続く屈曲部を設けているが、このために瓦受けでの流路が狭まり、水の流れを阻害して瓦受けに流入する雨水の量が多くなると水返しや屈曲部を越えて溢れ出るおそれがあること、
（３）凹部や該凹部を抑える係合凸部が破損して瓦を押える機能を失っていても、瓦を葺いたのちは、瓦受けに隣の瓦の側縁が重なっているため、表面から見ただけでは確認できないこと、
等である。
【０００６】
瓦頭中央部に鉤状の係合部を突設した平板瓦にも、瓦を葺いた状態で係合部が突設されているために瓦葺き屋根の外観が損なわれること、瓦尻の凹部は平板瓦の構造上、上下方向の長さを余り大きくすることができないので、瓦の割付寸法に余裕を持たせることができないこと、等の難点がある。
本発明は、上記の問題を解消した平板瓦を提供することを目的とする。
【０００７】
【課題の解決手段】
請求項１に係わる発明は、瓦受け下端部の切欠き部に係合片を横向きに突設すると共に、瓦頭中央部に係合片に係合可能な鉤状の係合部を上向きに突設し、また瓦尻隅に上記係合部が嵌合する切欠を形成し、上下の瓦が互い違いになるようにして瓦を葺いたとき、係合部が上側に葺かれる瓦の上記係合片に係合して該係合片を押えると共に、瓦受け上に重ねて置かれる瓦の上記切欠に嵌合し、瓦受け上に置かれる瓦が係合部上に被さるようにしたことを特徴とする。
【０００８】
本発明によると、係合片は既存の瓦受けに突設されるだけで、既存の瓦受けの強度を損なうことがないこと、係合片は瓦受け下端部の切欠き部の範囲内で上下方向に比較的長く形成することができ、瓦の割付寸法に余裕を持たせることができること、瓦受けの流路は既存のものと変わりがないこと、葺いた瓦を下側から見たとき、係合部が見え、係合部を破損していると、すぐに分かること、瓦を葺いたとき係合部は上側に葺かれる瓦が被さり、係合部が突出して外観が損なわれるとがないこと等の特徴を有する。
【０００９】
【発明の実施の形態】
図４は、本発明に係わる平板瓦１１について示すもので、右側縁には瓦受け１２が形成され、瓦受け下端には切欠き部１３の隅に瓦受け１２より一段下がった段状をなす係合片１４が横向きに突出形成され、また瓦頭中央に係合片１４に係合する鉤状の係合部１５が上向きに突設されている。図中、１６は瓦受け１２に形成される水返しであり、１７は釘孔で、瓦１１を葺くときには、図２に示すものと同様、釘孔１７を通して釘を桟木に打ち付けることにより瓦１１を固定するようになっている。また、１８は瓦を葺いたとき左斜め下の瓦１１の係合部１５が嵌合する切欠である。
【００１０】
瓦１１を葺くときには軒側から瓦１１を横一列に、瓦受け１２上に右隣の瓦１１の左側縁部を重ねて並べ、釘孔１７を通して釘を打ち付けて固定する。
次に棟側の瓦１１を、係合片１４を下側に葺かれる瓦の係合部１５に差し込んで横一列に、軒側の瓦１１とは千鳥状をなして瓦受１２上に右隣の瓦１１の左側縁部を重ねて並べる（図５）。
図６は、係合片１４を鉤形の係合部１５に差し込んで、係合部１５で係合片１４を押え、その上に右隣の瓦の左側縁の瓦尻が被さった状態を示す。
【００１１】
本実施形態の瓦によると、瓦１１は瓦頭で二か所、釘孔１７を通して打ち付けた釘で固定され、また瓦受け下端の係号部１４を押える下側の瓦１１の係合部１５で支持され、釘止め位置から係合部１５で押えられる位置までの距離が瓦受け下側部を押える特開２００１−４０８２１号の瓦に比べ、長くなる。すなわち瓦の支持点間の距離が長くなるため、瓦がしっかりと固定され、風の吹き込みによって瓦の浮き上がりが生じにくいこと、係合部には右隣の瓦の左側縁の瓦尻が被さり、瓦尻の端面と面一をなすようにして葺くことができるから外部には突出せず、瓦葺き屋根の外観が損なわれることがないこと、係合部が破損し、瓦受けを押える機能が失われているかどうかの確認或いは点検が容易であること（係合部が破損していたときには、瓦の差し換えが行われる）、瓦受けは既存のものと変わらないため強度が損なわれたり、水の流路が狭められることがないこと、係合片は瓦受け下部の切欠き部の範囲内で上下方向に長くすることができるため、瓦葺き時の割付け寸法に余裕を持たせることができること等の効果を奏する。
【００１２】
【発明の効果】
本発明の平板瓦によると、瓦受けは既存のものと変わりがないため、瓦受けの強度を損ねることがなく、流路にも悪影響を生じることがないこと、係合片は瓦受け下端の切欠き部の範囲内で上下方向に比較的長く形成することができ、瓦の割付寸法に余裕を持たせることができること、瓦を葺いたとき係合部には上側の瓦の瓦尻が被さることにより係合部が突出して、瓦葺きの屋根の外観が損なわれることがないうえ、係合部の下端面は瓦葺きの屋根を下側から見たとき見えるため、破損の有無が容易に確認できることなどの効果を奏する。
【図面の簡単な説明】
【図１】従来の平板瓦の斜視図。
【図２】平板瓦を葺いたときの状態を示す断面図。
【図３】瓦を千鳥状に葺いた同斜視図。
【図４】本発明に係わる平板瓦の斜視図。
【図５】図４に示す平板瓦を千鳥状に並べて葺いたときの斜視図。
【図６】図５のＡ−Ａ線拡大断面図。
【符号の説明】
１１・・平板瓦
１２・・瓦受け
１３・・切欠き部
１４・・係合片
１５・・係合部
１６・・水返し
１７・・釘孔
【図１】
0003746444.tif 000002
【図２】
0003746444.tif 000003
【図３】
0003746444.tif 000004
【図４】
0003746444.tif 000005
【図５】
0003746444.tif 000006
【図６】
0003746444.tif 000007